(57)【要約】【課題】簡略な構成でインクの引き伸ばしを抑制しつつ記録ヘッドに付着したインクを拭き取ることができるインクジェット記録装置を提供する。【解決手段】インクジェット記録装置１は、記録ヘッド１０と、ワイパー２０と、移動機構３０と、制御部５０と、親水部Ｗ１とを備える。記録ヘッド１０は、インク吐出面１７を有する。インク吐出面１７は、インクＮｆを吐出するノズル１１が開口する第１領域Ａ１と、第１領域Ａ１の一方端に隣接する第２領域Ａ２とを含む。移動機構３０は、ワイパー２０をインク吐出面１７に接触させた状態でインク吐出面１７に沿って移動させる。制御部５０は、移動機構３０にワイパー２０を移動させる。親水部Ｗ１は、第２領域Ａ２に形成され、第２領域Ａ２より高い親水性を有する。【選択図】図３
2016022644.tif 000002
【特許請求の範囲】
【請求項１】
インクを吐出するノズルが開口する第１領域と、前記第１領域の一方端に隣接する第２領域とを含むインク吐出面を有する記録ヘッドと、
ワイパーと、
前記ワイパーを前記インク吐出面に接触させた状態で前記インク吐出面に沿って移動させる移動機構と、
前記移動機構に前記ワイパーを移動させる制御部と、
前記第２領域に形成され、前記第２領域より高い親水性を有する親水部と
を備える、インクジェット記録装置。
【請求項２】
前記第２領域より高い撥水性を有する撥水部をさらに備え、
前記撥水部は、前記第１領域に対して前記親水部よりも外側に配置される、請求項１に記載のインクジェット記録装置。
【請求項３】
前記撥水部は撥水面を有し、前記撥水面は前記インク吐出面に対して斜め上方に傾斜している、請求項２記載のインクジェット記録装置。
【請求項４】
前記撥水部と前記親水部とは隣接する、請求項２または請求項３に記載のインクジェット記録装置。
【請求項５】
前記インク吐出面は、前記第１領域の他方端に隣接する第３領域をさらに含み、
前記制御部は、前記ワイパーが前記撥水部に接触してから前記親水部及び前記第１領域を経由して前記第３領域まで移動するように、前記移動機構に前記ワイパーを移動させる、請求項２から請求項４のいずれか１項に記載のインクジェット記録装置。
【請求項６】
前記インク吐出面は、前記第１領域の他方端に隣接する第３領域をさらに含み、
前記制御部は、前記ワイパーが前記第３領域から前記第１領域を経由して前記親水部で停止するように、前記移動機構に前記ワイパーを移動させる、請求項１から請求項４のいずれか１項に記載のインクジェット記録装置。
【請求項７】
前記制御部は、前記ワイパーが前記ノズルから排出されて前記第１領域に残留したインクを前記親水部まで移動させるように、前記移動機構に前記ワイパーを移動させる、請求項１から請求項６のいずれか１項に記載のインクジェット記録装置。
【請求項８】
前記制御部は、前記ワイパーが前記記録ヘッドに対して上昇又は下降するように、前記移動機構に前記ワイパーを移動させる、請求項１から請求項７のいずれか１項に記載のインクジェット記録装置。
【発明の詳細な説明】
【技術分野】
【０００１】
本発明は、インクジェット記録装置に関する。
【背景技術】
【０００２】
一般的なインクジェット記録装置は記録ヘッド及びワイパーを備える。記録ヘッドはインク吐出面を有する。インク吐出面は、記録媒体にインクを吐出するノズルが開口する第１領域と、第１領域の一方端に隣接する第２領域と、第１領域の他方端に隣接する第３領域とを含む。ワイパーは、第３領域から第１領域を経由して第２領域まで移動することでインク吐出面に付着したインクを拭き取る（ワイピング）。第３領域はワイピングの開始位置である。
【０００３】
ワイパー又はインク吐出面が乾いた状態でインク吐出面を拭くと（ドライワイピング）、ノズルを傷つける可能性がある。また、ドライワイピングでは、インク吐出面に付着している固着物を除去しきれない場合もある。そこで、ノズルからインクを排出させ、ワイパー又はインク吐出面を湿らせた状態でワイパーにインク吐出面を拭かせる（ウェットワイピング）。
【０００４】
しかしながら、ウェットワイピングの場合、第３領域に残留したインクの引き伸ばしが発生する可能性がある。インクの引き伸ばしとは、インク吐出面に接触しながら、移動中のワイパーの先端から移動方向の反対方向に、インクが引き伸ばされることである。例えば、ワイピングの開始位置である第３領域に残留したインクの粘度が高いと、ワイパーの移動方向の下流側でワイパーの先端に付着して移動するインクの粘度が高くなり、第３領域からのインクの引き伸ばしが発生し易い。
【０００５】
インクが乾燥及び増粘すると、除去が困難になるため、引き伸ばされたインクがインク吐出面に堆積する場合がある。そして、堆積したインクによって記録媒体が汚染される可能性がある。従って、インクの引き伸ばしを抑制することが要求される。
【０００６】
そこで、特許文献１に記載の記録ヘッドには、ノズルよりもワイパーの移動方向の上流に、インクを強制的に排出するためのワイピング用ダミーノズルが設けられる。ダミーノズルから粘度の低いインクを排出させ、そのインクでワイパーの先端を濡らすことによって、インクの引き伸ばしを抑制する。
【先行技術文献】
【特許文献】
【０００７】
【特許文献１】特開２００６−２１８７４８号公報
【発明の概要】
【発明が解決しようとする課題】
【０００８】
しかしながら、特許文献１に記載の記録ヘッドでは、ダミーノズルを設けるため、記録ヘッド内の流路が複雑になり、コストが増加する。また、ノズルだけでなく、ダミーノズルによってもインクが排出されるため、廃インク量が増加する。
【０００９】
本発明は、上記課題に鑑みてなされたものであり、簡略な構成でインクの引き伸ばしを抑制しつつ記録ヘッドに付着したインクを拭き取ることができるインクジェット記録装置を提供することを目的としている。
【課題を解決するための手段】
【００１０】
本発明によれば、インクジェット記録装置は、記録ヘッドと、ワイパーと、移動機構と、制御部と、親水部とを備える。記録ヘッドは、インク吐出面を有する。インク吐出面は、第１領域と、第２領域とを含む。第１領域には、インクを吐出するノズルが開口する。第２領域は、前記第１領域の一方端に隣接する。移動機構は、前記ワイパーを前記インク吐出面に接触させた状態で前記インク吐出面に沿って移動させる。制御部は、前記移動機構に前記ワイパーを移動させる。親水部は、前記第２領域に形成され、前記第２領域より高い親水性を有する。
【発明の効果】
【００１１】
本発明によれば、簡略な構成でインクの引き伸ばしを抑制しつつ記録ヘッドに付着したインクを拭き取ることができる。
【図面の簡単な説明】
【００１２】
【図１】本発明の実施形態に係るインクジェット記録装置の構成を示す図である。
【図２】本発明の実施形態に係るインクジェット記録装置のヘッド部を示す図である。
【図３】本発明の実施形態に係るインクジェット記録装置の記録ヘッド及びワイパー部を示す図である。
【図４】（ａ）〜（ｅ）本発明の実施形態に係るインクジェット記録装置のワイパーの動作（往路）を示す図である。
【図５】（ａ）〜（ｅ）本発明の実施形態に係るインクジェット記録装置のワイパーの動作（復路）を示す図である。
【図６】本発明の実施形態に係るインクジェット記録装置の記録ヘッドを示す正面図である。
【図７】本発明の実施形態に係るインクジェット記録装置の記録ヘッドを示す側面図である。
【図８】本発明の実施形態に係るインクジェット記録装置のワイパー部を下降させた状態を示す図である。
【図９】本発明の実施形態に係るインクジェット記録装置のワイパー部を上昇させた状態を示す図である。
【発明を実施するための形態】
【００１３】
以下、本発明の実施形態について、図面を参照しながら説明する。なお、図中、同一または相当部分については同一の参照符号を付して説明を繰り返さない。なお、本実施形態では、Ｘ軸及びＹ軸は水平面に平行であり、Ｚ軸は鉛直線に平行である。
【００１４】
図１及び図２を参照して、本実施形態に係るインクジェット記録装置１について説明する。図１は、インクジェット記録装置１の構成を示す。インクジェット記録装置１は、ヘッド部３、制御部５０、ワイパー部６０、トレイ２００、給送ローラー２０１、第１搬送ユニット２０５、第２搬送ユニット２１２、及びキャップユニット２９０を備える。
【００１５】
トレイ２００は、第１搬送ユニット２０５よりも記録媒体Ｔの搬送方向Ｐの上流に設けられ、記録媒体Ｔを収容する。トレイ２００の搬送方向Ｐの下流端には、給送ローラー２０１が設けられる。給送ローラー２０１は、トレイ２００に収容された記録媒体Ｔを一枚ずつ第１搬送ユニット２０５へ搬送する。記録媒体Ｔは、例えば、普通紙、コピー紙、再生紙、薄紙、厚紙、又は光沢紙のような紙、又はＯＨＰ（Ｏｖｅｒｈｅａｄ  Ｐｒｏｊｅｃｔｏｒ）シートのような合成樹脂製のシートである。
【００１６】
第１搬送ユニット２０５は、第１駆動ローラー２０６と、第１従動ローラー２０７と、第１駆動ローラー２０６及び第１従動ローラー２０７に掛け渡された第１搬送ベルト２０８とを含む。第１駆動ローラー２０６が反時計回りに回転することにより、第１搬送ベルト２０８が回転し、第１搬送ベルト２０８に保持された記録媒体Ｔが搬送方向Ｐに搬送される。
【００１７】
ヘッド部３は、第１搬送ユニット２０５に対向して配置される。ヘッド部３は、ヘッドハウジング１８、及びヘッドハウジング１８に保持されたラインヘッド１０Ｋ、１０Ｃ、１０Ｍ、１０Ｙを含む。図２は、ヘッド部３を示す。ラインヘッド１０Ｋ、１０Ｃ、１０Ｍ、１０Ｙは、それぞれ、ブラック色のインク、シアン色のインク、マゼンダ色のインク、及びイエロー色のインクを吐出又は排出する。ラインヘッド１０Ｋ〜１０Ｙは、記録媒体Ｔの搬送方向Ｐに沿って配置される。ラインヘッド１０Ｋ〜１０Ｙの各々は、搬送方向Ｐに直交する方向に沿って千鳥状に配置される３個の記録ヘッド１０を含む。
【００１８】
図１に示すように、第２搬送ユニット２１２は、第１搬送ユニット２０５よりも搬送方向Ｐの下流に配置されている。第２搬送ユニット２１２は、第２駆動ローラー２１３と、第２従動ローラー２１４と、第２駆動ローラー２１３及び第２従動ローラー２１４に掛け渡された第２搬送ベルト２１５とを含む。第２駆動ローラー２１３が反時計回りに回転されることにより、第２搬送ベルト２１５が回転し、第２搬送ベルト２１５に保持された記録媒体Ｔが搬送方向Ｐに搬送される。
【００１９】
ヘッド部３によって画像が記録された記録媒体Ｔは第２搬送ユニット２１２へ送られ、第２搬送ユニット２１２を通過する間に記録媒体Ｔの表面に吐出されたインクが乾燥される。また、第２搬送ユニット２１２の下方にはワイパー部６０及びキャップユニット２９０が配置されている。
【００２０】
制御部５０は、ワイパー部６０にラインヘッド１０Ｋ〜１０Ｙのインク吐出面に付着したインクを拭き取らせる際に、つまり、ワイピングを実行する際に第１搬送ユニット２０５を下降させる。そして、制御部５０は、第２搬送ユニット２１２の下方に配置されたワイパー部６０を水平移動させて、待機位置、つまり、ヘッド部３の下方に配置する。その結果、ワイパー部６０は、ヘッド部３と第１搬送ユニット２０５との間に配置される。ワイパー部６０は、ラインヘッド１０Ｋ〜１０Ｙに付着したインクを拭き取り、拭き取られたインクを回収する。
【００２１】
制御部５０は、ラインヘッド１０Ｋ〜１０Ｙのインク吐出面をキャッピングする際に、キャップユニット２９０を水平移動させてヘッド部３の下方に配置する。さらに、制御部５０は、キャップユニット２９０を上方に移動させる。その結果、キャップユニット２９０は、ラインヘッド１０Ｋ〜１０Ｙのインク吐出面に装着される。
【００２２】
排出ローラー２１６は、第２搬送ユニット２１２よりも搬送方向Ｐの下流に配置され、画像が記録された記録媒体Ｔをインクジェット記録装置１の外部に排出する。
【００２３】
図３を参照して、記録ヘッド１０及びワイパー部６０について説明する。図３は、記録ヘッド１０及びワイパー部６０を示す。ワイパー部６０は、ワイパー２０及び移動機構３０を含む。
【００２４】
記録ヘッド１０は、インク吐出面１７を有する。インク吐出面１７は、第１領域Ａ１と、第２領域Ａ２と、第３領域Ａ３とを含む。第２領域Ａ２は、第１領域Ａ１の一方端に隣接する。第３領域Ａ３は、第１領域Ａ１の他方端に隣接する。第１領域Ａ１には、多数のノズル１１が開口している。ノズル１１は、記録媒体に画像を形成するためのインクを吐出する。ノズル１１は、パージ処理において、記録ヘッド１０内の不要物と共にインクＮｆを排出する。インクＮｆは密閉空間に収容されている。従って、インクＮｆに含有される揮発成分の蒸発が抑制される。揮発成分は、外気に触れると蒸発する。その結果、ノズル１１から排出されるインクＮｆは、空気に触れていた残留インクと比較して粘度が低い。
【００２５】
制御部５０は、移動機構３０にワイパー２０を移動させる。移動機構３０は、制御部５０に制御されて、ワイパー２０を移動させる。具体的には、移動機構３０は、上昇方向Ｄ１にワイパー２０を上昇させることができ、ワイピング方向Ｄ３又はワイピング方向Ｄ４にワイパー２０を移動させることができ、下降方向Ｄ２にワイパー２０を下降させることができる。本実施形態では、上昇方向Ｄ１及び下降方向Ｄ２は、Ｚ軸に沿っており、インク吐出面１７に直交し、ワイピング方向Ｄ３及びワイピング方向Ｄ４は、Ｘ軸に沿っており、インク吐出面１７に沿っている。上昇方向Ｄ１及び下降方向Ｄ２を総称して上下方向と記載する場合もある。
【００２６】
移動機構３０は、ワイパー２０をインク吐出面１７に接触させた状態でインク吐出面１７に沿って移動させる。従って、ワイパー２０は、ノズル１１から吐出されたインク又はノズル１１から排出されインク吐出面１７に付着したインクＮｆを拭き取ることができる。また、ワイパー２０は、インク吐出面１７に付着した不要物も拭き取る。ワイパー２０は、弾性を有し、平板状である。ワイパー２０は、例えば、合成ゴム（例えば、ＥＰＤＭ（ｅｔｈｙｌｅｎｅ−ｐｒｏｐｙｌｅｎｅ−ｄｉｅｎｅ  ｔｅｒｐｏｌｙｍｅｒ））、又は合成樹脂により形成される。
【００２７】
インクジェット記録装置１は、親水部Ｗ１と、撥水部Ｗ２とをさらに備える。親水部Ｗ１は親水性を有する。親水部Ｗ１は、第２領域Ａ２より高い親水性を有する。親水部Ｗ１は、例えば、親水性の高いステンレスのような金属、又は親水性の高い合成樹脂により形成される。親水部Ｗ１は、記録ヘッド１０の第２領域Ａ２に形成され、インク吐出面１７に対して平行な親水面４１を有する。親水面４１の表面粗さを、第２領域Ａ２の表面粗さより大きくする。
【００２８】
ここで、親水部Ｗ１が第２領域Ａ２よりも高い親水性を有していればよい。従って、例えば、親水部Ｗ１を金属又は合成樹脂により形成し、親水部Ｗ１の表面粗さを、第２領域Ａ２の表面粗さより粗くすることにより、親水部Ｗ１の親水性を第２領域Ａ２の親水性よりも高くする。
【００２９】
撥水部Ｗ２は第２領域Ａ２より高い撥水性を有する。撥水部Ｗ２は、例えば、フッ素樹脂により形成される。撥水部Ｗ２は、第１領域Ａ１に対して親水部Ｗ１よりも外側に配置される。親水部Ｗ１と撥水部Ｗ２とは隣接する。撥水部Ｗ２は、撥水面４２を有する。撥水面４２は、インク吐出面１７に対して斜め上方に傾斜している。
【００３０】
以上、本実施形態によれば、ワイパー２０は、ワイピングの往路において、ワイピング方向Ｄ３へ移動し、第１領域Ａ１で排出されたインクＮｆを親水部Ｗ１に移動させる。そして、ワイパー２０は、親水部Ｗ１に付着した粘度の低いインクＮｆを伴って、ワイピングの復路において、ワイピング方向Ｄ４へ移動する。ワイピングの復路では、粘度の低いインクＮｆが親水部Ｗ１に付着しているため、第２領域Ａ２からのインクの引き伸ばしを抑制できる。また、ワイピングの復路において、親水部Ｗ１に付着した粘度の低いインクＮｆによって、ワイピングの往路で引き伸ばされたインクを効果的に拭き取ることができる。
【００３１】
さらに、本実施形態によれば、ワイピングの復路では、ワイピングの往路で移動されたインクＮｆを利用する。従って、ワイピングの復路において、新たなインクを消費しない。その結果、ユーザーにとってインク購入の費用を抑制できる。
【００３２】
次に、図４及び図５を参照して、ワイパー２０の動作について説明する。図４（ａ）〜図４（ｅ）は、ワイピングの往路におけるワイパー２０の動作を示す。ワイパー２０は、制御部５０に制御されて駆動する移動機構３０によって、次のように動作する。
【００３３】
すなわち、図４（ａ）に示すように、ワイピングを開始する前のワイパー２０の先端にはインクＮｖが付着している。インクＮｖは、前回のワイピングでワイパー２０の先端に残留したインクであり、空気に接触したことによって増粘している。ワイパー２０は、待機位置から第３領域Ａ３に向かって上昇方向Ｄ１に上昇する。そして、ワイパー２０の先端が第３領域Ａ３に押し当てられ、ワイパー２０は上昇を停止する。その結果、インクＮｖが第３領域Ａ３に付着する。
【００３４】
図４（ｂ）に示すように、ノズル１１はインクＮｆを排出するため、インクＮｆは第１領域Ａ１に残留する。インクＮｆの粘度は、ワイパー２０の先端に付着したインクＮｖの粘度より低い。ワイパー２０は、上下方向の位置を一定に維持したまま、第３領域Ａ３から親水部Ｗ１に向かってワイピング方向Ｄ３に移動する。その結果、ワイパー２０によって第１領域Ａ１に残留したインクＮｆが拭き取られる。
【００３５】
図４（ｃ）に示すように、ワイパー２０は、親水部Ｗ１まで移動し停止する。その結果、インクＮｆが第１領域Ａ１から親水面４１まで移動される。親水面４１は親水性を有するため、親水性が低い場合と比較して、親水面４１にはインクＮｆが付着し易い。インクＮｆは、新鮮であり、粘度は低い。ワイパー２０は、親水部Ｗ１で、一定時間の間、静止する。図４（ｄ）に示すように、ワイパー２０は、静止後、下降方向Ｄ２に下降し、親水部Ｗ１の直下位置で停止する。図４（ｅ）に示すように、ワイパー２０は、親水部Ｗ１の直下位置からワイピング方向Ｄ３に移動し、撥水部Ｗ２の直下位置まで移動する。
【００３６】
図５（ａ）〜図５（ｅ）は、ワイピングの復路におけるワイパー２０の動作を示す。図５（ａ）に示すように、ワイパー２０の先端には、インクＮｆが付着している。ワイパー２０は、撥水部Ｗ２の直下位置から撥水部Ｗ２に向かって上昇方向Ｄ１に上昇し、撥水面４２に接触して上昇を停止する。撥水面４２は撥水性を有するため、撥水性を有しない場合と比較して、撥水面４２にはワイパー２０の先端に付着したインクＮｆが付着し難い。
【００３７】
図５（ｂ）に示すように、ワイパー２０は、上下方向の位置を一定に維持したまま、撥水部Ｗ２から親水部Ｗ１に向かってワイピング方向Ｄ４に移動し、親水面４１に付着したインクＮｆを拭き取る。従って、親水面４１に付着したインクＮｆが、乾燥及び増粘して、親水面４１にインクＮｆが堆積することを抑制できる。その結果、堆積したインクによる記録媒体Ｔの汚染を抑制できる。
【００３８】
図５（ｃ）に示すように、ワイパー２０は、上下方向の位置を一定に維持したまま停止することなく、引き続き、第３領域Ａ３に向かってワイピング方向Ｄ４に移動する。この場合、ワイパー２０の先端には、親水面４１に付着していたインクＮｆが付着しているため、ワイパー２０は、インクＮｆを伴って移動し、第１領域Ａ１を拭く。ワイパー２０の先端に付着したインクＮｆは、粘度が低いため、インクＮｆの引き伸ばしが抑制される。
【００３９】
図５（ｄ）に示すように、ワイパー２０は第３領域Ａ３の端部まで移動し、第３領域Ａ３に残留したインクＮｖを拭き取る。従って、乾燥及び増粘したインクＮｖが第３領域Ａ３に堆積することを抑制できる。その結果、堆積したインクによる記録媒体Ｔの汚染を抑制できる。
【００４０】
図５（ｅ）に示すように、第３領域Ａ３の端部に到達したワイパー２０は、下降方向Ｄ２に下降する。そして、ワイパー２０は、待機位置に戻り、ワイピングを終了する。
【００４１】
以上、本実施形態によれば、図４及び図５を参照して説明したように、高い親水性を有する親水部Ｗ１を設けることによって、簡略な構成でインクＮｆの引き伸ばしを抑制しつつ記録ヘッド１０のインク吐出面１７に付着したインクを拭き取ることができる。
【００４２】
すなわち、ワイピングの往路において、粘度の低いインクＮｆを伴ったワイパー２０が親水部Ｗ１まで移動する（図４（ｂ）及び図４（ｃ））。親水部Ｗ１には、親水性を有しない場合よりも多くのインクＮｆが残留する。従って、ワイピングの復路において、ワイパー２０の先端に粘度の低い十分な量のインクＮｆを伴って、ワイパー２０をワイピング方向Ｄ４に移動させることができる（図５（ｂ）及び図５（ｃ））。
【００４３】
その結果、第２領域Ａ２からのインクＮｆの引き伸ばしを抑制しつつ、効果的にインク吐出面１７を拭くことができる。つまり、ワイピング方向Ｄ４の下流側においてワイパー２０の先端に付着して移動するインクＮｆの粘度が低いため、第２領域Ａ２からのインクＮｆの引き伸ばしを抑制できる。インクＮｆの引き伸ばしが抑制されるため、引き伸ばされたインクのインク吐出面１７への堆積が抑制される。従って、インク吐出面１７に堆積したインクが垂れ落ちることによる記録媒体の汚染を抑制できる。
【００４４】
また、本実施形態によれば、ワイパー２０は、ワイピングの復路において、ワイパー２０の先端に粘度の低い十分な量のインクＮｆを伴って移動するため、ワイピングの往路で引き伸ばされたインクＮｆ及び第３領域Ａ３に残留したインクＮｖを効果的に拭き取ることができる（図５（ｂ）及び図５（ｃ））。
【００４５】
さらに、本実施形態によれば、制御部５０は、ワイパー２０が第３領域Ａ３から第１領域Ａ１を経由して親水部Ｗ１で停止するように、移動機構３０にワイパー２０を移動させる（図４（ｂ）及び図４（ｃ））。従って、親水部Ｗ１に残留するインクＮｆの量が更に多くなる。従って、ワイピングの復路において、ワイパー２０の先端に粘度の低い更に十分な量のインクＮｆを伴って、ワイパー２０を移動させることができる。その結果、インクＮｆの引き伸ばしを更に抑制しつつ、更に効果的にインク吐出面１７を拭くことができる。
【００４６】
さらに、本実施形態によれば、制御部５０は、ワイパー２０が撥水部Ｗ２に接触してから親水部Ｗ１及び第１領域Ａ１を経由して第３領域Ａ３まで移動するように、移動機構３０にワイパー２０を移動させる（図５（ａ）〜図５（ｄ））。従って、ワイピングの復路において、ワイパー２０は、最初に撥水部Ｗ２に接触する。その結果、復路におけるワイピングの開始位置にインクＮｆが付着することを抑制できる。ワイピングの開始位置に、多くのインクが残留して乾燥及び増粘し、さらにインクの堆積が進行すると、記録媒体を汚染する原因になり得る。しかしながら、本実施形態では、復路におけるワイピングの開始位置を撥水部Ｗ２にしているため、インクＮｆの残留が抑制され、記録媒体の汚染を抑制できる。また、ワイピングの開始位置へのインクＮｆの残留を抑制することにより、ワイピングの開始位置からのインクＮｆの引き伸ばしを抑制できる。
【００４７】
さらに、本実施形態によれば、親水部Ｗ１と撥水部Ｗ２とは隣接する。従って、ワイピングの復路において、撥水部Ｗ２から親水部Ｗ１へワイパー２０を円滑に移動できる。
【００４８】
さらに、本実施形態によれば、撥水部Ｗ２の撥水面４２は斜め上方に傾斜している。従って、ワイパー２０は、撥水部Ｗ２から親水部Ｗ１に移動する際に、撥水面４２の傾斜に応じてワイパー２０の先端部を徐々に湾曲させながら親水部Ｗ１に進入できる。その結果、ワイパー２０を親水部Ｗ１に向かって上昇方向Ｄ１に上昇させ親水部Ｗ１に押し当てることによってワイパー２０の先端部を湾曲させる場合と比較して、ワイパー２０へのダメージを抑制できる。
【００４９】
さらに、本実施形態によれば、制御部５０は、ワイパー２０がノズル１１から排出されて第１領域Ａ１に残留したインクＮｆを親水部Ｗ１まで移動させるように、移動機構３０にワイパー２０を移動させる（図４（ｂ）〜図４（ｄ））。従って、ワイパー２０は、粘度の低いインクＮｆを親水部Ｗ１に付着させることができる。その結果、ワイピングの復路におけるインクＮｆの引き伸ばしを抑制できる。
【００５０】
さらに、本実施形態によれば、制御部５０は、ワイパー２０が記録ヘッド１０に対して上昇又は下降するように、移動機構３０にワイパー２０を移動させる（図４（ａ）、図４（ｄ）、図５（ａ）、及び図５（ｅ））。従って、移動機構３０は、ワイパー２０をインク吐出面１７に接触させつつ移動させることもできるし、ワイパー２０をインク吐出面１７に接触させずにワイピング方向Ｄ３又はワイピング方向Ｄ４に移動させることもできる。
【００５１】
さらに、本実施形態によれば、ワイピングの復路においてパージ処理を実行しなくてよい。従って、パージ処理に使用されるインクＮｆの消費量を抑制できる。
【００５２】
次に、図６及び図７を参照して記録ヘッド１０について説明する。図６は、記録ヘッド１０の正面を示す。記録ヘッド１０のインク吐出面１７は矩形状である。インク吐出面１７の第１領域Ａ１には、複数のノズル形成領域１２が、記録ヘッド１０の長手方向に沿って千鳥状に形成される。台形状のノズル形成領域１２の各々には、複数のノズル１１が開口している。図６では、ワイパー２０は第３領域Ａ３の直下の待機位置に配置されている。ワイパー２０の幅は、インク吐出面１７の幅よりも大きい。なお、ワイパー２０の幅は、インク吐出面１７の幅と同一でもよいし、ワイパー２０がノズル形成領域１２を包含できる大きさであれば、インク吐出面１７の幅より小さくてもよい。第２領域Ａ２には親水部Ｗ１が配置されている。
【００５３】
図７は、記録ヘッド１０の側面を示す。記録ヘッド１０は、流入口１３及び流出口１５を有する。画像形成処理時又はパージ処理時に、タンクから流入口１３に流入したインクは、記録ヘッド１０の内部に流入し、流出口１５から流出する。記録ヘッド１０の内部に流入したインクは、画像形成処理時にノズル１１から吐出され、又はパージ処理時にノズル１１から排出される。本実施形態では、ワイパー２０は、パージ処理でノズル１１から排出され、インク吐出面１７に付着したインクＮｆを用いてウェットワイピングを実行している。
【００５４】
次に、図８及び図９を参照してワイパー部６０について説明する。なお、図８及び図９では、図面の簡略化のため、親水部Ｗ１及び撥水部Ｗ２を省略している。図８は、ワイパー部６０を下降させた状態を示す。制御部５０はワイパー部６０を制御する。制御部５０は、ワイピングを実行する際には、ワイパー部６０を、ラインヘッド１０Ｋ、１０Ｃ、１０Ｍ、１０Ｙに対向するように移動させる。なお、図８では、ラインヘッド１０Ｋが備える３個の記録ヘッド１０に対応する３個のワイパー２０のみが表れている。
【００５５】
ワイパー部６０の移動機構３０は、キャリッジ３１、キャリッジ３１を支持する支持フレーム３５、コロ３６、ギャップコロ３７、昇降部材３８、及び底部３９を含む。
【００５６】
昇降部材３８の各々は、リフト部材３８ａ及びシャフト３８ｂを含む。制御部５０は、駆動源（例えば、モーター）を駆動して、ワイピング方向Ｄ３の上流に配置される昇降部材３８のシャフト３８ｂを時計回りに回転させ、ワイピング方向Ｄ３の下流に配置される昇降部材３８のシャフト３８ｂを反時計回りに回転させる。すると、倒伏したリフト部材３８ａが底部３９から起立する。その結果、図９に示すように、支持フレーム３５と共にキャリッジ３１、コロ３６、ギャップコロ３７、及びワイパー２０が上昇する。
【００５７】
図９は、ワイパー部６０を上昇させた状態を示す。ギャップコロ３７は、ヘッドハウジング１８に当接することで、上昇してインク吐出面１７に押し当てられたワイパー２０の上下方向の位置を一定に保持する。キャリッジ３１は、支持フレーム３５に対して、コロ３６を介して移動可能に係合する。キャリッジ３１がワイピング方向Ｄ３又はワイピング方向Ｄ４に移動することによって、ワイパー２０もワイピング方向Ｄ３又はワイピング方向Ｄ４に移動する。
【００５８】
なお、ラインヘッド１０Ｃ、１０Ｍ、１０Ｙの各々に対する３個のワイパー２０は、移動機構３０によって、ラインヘッド１０Ｋに対する３個のワイパー２０と同じ動作をする。
【００５９】
以上、図面を参照しながら本発明の実施形態について説明した。但し、本発明は、上記の実施形態に限られるものではなく、その要旨を逸脱しない範囲で種々の態様において実施することが可能である（例えば、下記に示す（１）〜（４））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の形状、寸法等は一例であって、特に限定されるものではなく、本発明の効果から実質的に逸脱しない範囲で種々の変更が可能である。
【００６０】
（１）図３を参照して説明したように、撥水部Ｗ２を設けたが、撥水部Ｗ２を設けなくてもよい。また、撥水面４２は、インク吐出面１７に対して斜め上方に傾斜していたが、親水面４１と平行に形成されてもよい。さらに、撥水部Ｗ２は、第１領域Ａ１に対して親水部Ｗ１の外側に形成されればよく、第２領域Ａ２に形成されてもよい。さらに、親水部Ｗ１と撥水部Ｗ２とは隣接していなくてもよく、一定間隔を置いて形成されてよい。
【００６１】
（２）図３を参照して説明したように、撥水部Ｗ２と親水部Ｗ１とが別部材で形成されたが、例えば、親水性の素材（例えば、金属又は合成樹脂）の一部に、撥水性のテープ（例えば、フッ素樹脂テープ）を貼付し、親水性領域を親水面４１とし、撥水性領域を撥水面４２としてもよい。
【００６２】
（３）図２を参照して説明したように、ヘッド部３は、４色のラインヘッド１０Ｋ〜１０Ｙを含むが、ヘッド部３は、単色のラインヘッド含んでもよいし、４色以外の複数色のラインヘッドを含んでもよい。
【００６３】
（４）図２を参照して説明したように、１色に対して３個の記録ヘッド１０が用意されるが、１色に対して、単数の記録ヘッド１０が用意されてもよいし、３個以外の複数の記録ヘッド１０が用意されてもよい。
【産業上の利用可能性】
【００６４】
本発明は、インクジェット記録装置の分野に利用可能である。
【符号の説明】
【００６５】
１      インクジェット記録装置
１０    記録ヘッド
１１    ノズル
２０    ワイパー
３０    移動機構
４１    親水面
４２    撥水面
Ｗ１    親水部
Ｗ２    撥水部
５０    制御部
Ａ１    第１領域
Ａ２    第２領域
Ａ３    第３領域
Ｎｖ    インク
Ｎｆ    インク
【図１】
2016022644.tif 000003
【図２】
2016022644.tif 000004
【図３】
2016022644.tif 000005
【図４】
2016022644.tif 000006
【図５】
2016022644.tif 000007
【図６】
2016022644.tif 000008
【図７】
2016022644.tif 000009
【図８】
2016022644.tif 000010
【図９】
2016022644.tif 000011